(57)【要約】【課題】本発明は、竿体の各角部間に柱体を設け、この柱体の長手方向に沿って竿体を振ることにより、使い勝手を向上させるようにした多角竿を得ることを目的とする。【解決手段】本発明による多角竿は、四個の長手Ｖ字型部材(A,B)と一対の長手平板部材(C)により六角形の竿体(F)を形成し、少なくとも一対の中空部(24,25)を有し、竿体(F)の各角部(22,22)間に柱体(21)を形成し、この柱体(21)の長手方向を竿体(F)の振り方向(X)とすることにより、軽くて剛性のある竿体(F)とした構成である。【選択図】図１
2012187017.tif 000002
【特許請求の範囲】
【請求項１】
全体形状が長手棒状をなし、その外周形状が断面多角形で形成された竿体(F)からなる多角竿において、
断面Ｖ字型をなす長手Ｖ字型部材(A,B)を少なくとも４個有して少なくとも２個の中空部(24,25)をなすと共に、前記各長手Ｖ字型部材(A,B)の一部を重合させて直線状の柱体(21)が形成され、
前記柱体(21)の両端には、前記竿体(F)の角部(22)が位置していることを特徴とする多角竿。
【請求項２】
前記各長手Ｖ字型部材(A,B)間には、断面台形をなす長手平板部材(C)が設けられていることを特徴とする請求項１記載の多角竿。
【請求項３】
前記各長手Ｖ字型部材(A,B)に形成された一対の接続面(10,11,14,15)の面方向(12,13,16,17）は、互いに同一方向の場合と互いに異なる方向の場合の何れかで構成されていることを特徴とする請求項１又は２記載の多角竿。
【請求項４】
前記断面多角形は、断面六角形からなり、断面六角形の各辺(C1〜C6)が全て等しい場合と、二辺のみ(C2,C5)が他の辺(C1,C3,C4,C6)よりも短い場合とで構成されていることを特徴とする請求項１ないし３の何れかに記載の多角竿。
【請求項５】
前記角部(22)には、釣り糸を案内するためのラインガイド(23)が設けられていることを特徴とする請求項１ないし４の何れかに記載の多角竿。
【請求項６】
前記第１長手Ｖ字型部材(A)及び長手平板部材(C)は、断面正三角形の長手三角部材(30)の一部を切削して形成されていることを特徴とする請求項１ないし５の何れかに記載の多角竿。
【請求項７】
前記第１長手Ｖ字型部材(A)の第１接続面(10)を上向き配設した時の前記第１長手Ｖ字型部材(A)の第１高さ(Ha)と第１横幅(Wa)と、前記第２長手Ｖ字型部材(B)の第１接続面(14)を上向きに配設した時の前記第２長手Ｖ字型部材(B)の第２高さ(Hb)と第２横幅(Wb)と、前記長手平板部材(C)を形成する前の断面正三角形をなす長手三角部材(30)の第３高さ(Hc)と第３横幅(Wc)と、は次の条件(Ha=Hb=HcかつWa=Wb=Wc、又はHa>Hb=HcかつWa=Wb>Wc)で構成されていることを特徴とする請求項１ないし６の何れかに記載の多角竿。
【発明の詳細な説明】
【技術分野】
【０００１】
本発明は、多角竿に関し、特に、竿体の各角部間に柱体を設け、この柱体の長手方向に沿って竿体を振ることにより、使い勝手を向上させるための新規な改良に関する。
【背景技術】
【０００２】
従来、用いられていたこの種の多角竿としては、図１９から図２４で示される従来構成を挙げることが出来る。
すなわち、図１９及び図２０で示される従来構成は文献名は示していないが一般に用いられているもので、図１９の構成は複数の長手三角部材３０を密合させた中実状の構成である。
また、図２０の構成は、断面台形をなす複数の長手平板部材Ｃを互いに接合させて中空部２５を形成した中空状の構成である。
【０００３】
図２１の従来構成は、特許文献１に開示されたもので、断面Ｔ字型をなすＴ字型長手部材４と断面台形をなす長手平板部材Ｃの組合せによる構成で３個の中空部２５が形成されている。
【０００４】
図２２の従来構成は、非特許文献１に開示されたもので、一対の断面Ｔ字型をなすＴ字型長手部材４と４個の前記長手平板部材Ｃを組合わせてなる偏平型中空六角竿が形成されている。
【０００５】
図２３の従来構成は、特許文献２及び３に開示されたもので、断面三角形をなす４個の前記長手三角部材３０及び断面台形をなす一対の長手台形部材Ｃの組合せによる中実型の偏平六角型竿である。
【０００６】
図２４の従来構成は、文献名は示していないが、６個の前記Ｔ字型長手部材４を組合せた正六角形型の多角竿である。
【先行技術文献】
【特許文献】
【０００７】
【特許文献１】特開平１０−１２４７０９号公報
【特許文献２】特開２００４−７３１６７号公報
【特許文献３】特開２００２−１５９２４７号公報
【非特許文献】
【０００８】
【非特許文献１】「バンブーロッドのいま」渡渉舎、２００７年６月１１日発行、２１３頁。
【発明の概要】
【発明が解決しようとする課題】
【０００９】
従来の多角竿は、以上のように構成されていたため、次のような課題が存在していた。
すなわち、図１９で示されるソリッドの六角竿の場合、製造は容易であるが、重いため、軽快な動作の要望には応えることができなかった。
また、図２０の中空六角柱の場合、竿が曲がった時に断面がつぶれやすく、剛性が弱い構成であった。
また、図２１の中空部を３本足中空竿をなすＴ字型長手部材を用いた構成の場合、図２１の状態で縦に振る場合は剛性は十分であるが、竿の角を前にして振る場合は十分な剛性を得ることは困難であった。
【００１０】
また、図２２の中空部を二分割する２本足偏平六角竿の場合、図２２の状態で縦に振ると、剛性は保たれるが、風切り抵抗が大きく、使い勝手が良好ではなかった。
また、図２３の場合、ソリッドで六角偏平竿であるため、風切り抵抗が大きく、横の角を前にして縦に振ると、横ぶれが発生し、使い勝手は良好ではなかった。
また、図２４の６個のＴ字型長手部材を用いた六角竿の場合、中空部が狭くなるため、軽量化が困難であった。
【課題を解決するための手段】
【００１１】
本発明による多角竿は、全体形状が長手棒状をなし、その外周形状が断面多角形で形成された竿体からなる多角竿において、断面Ｖ字型をなす長手Ｖ字型部材を少なくとも４個有して少なくとも２個の中空部をなすと共に、前記各長手Ｖ字型部材の一部を重合させて直線状の柱体が形成され、前記柱体の両端には、前記竿体の角部が位置している構成であり、また、前記各長手Ｖ字型部材間には、断面台形をなす長手平板部材が設けられている構成であり、また、前記各長手Ｖ字型部材に形成された一対の接続面の面方向は、互いに同一方向の場合と互いに異なる方向の場合の何れかで形成されている構成であり、また、前記断面多角形は、断面六角形からなり、断面六角形の各辺が全て等しい場合と、二辺のみが他の辺よりも短い場合とで形成されている構成であり、また、前記角部には、釣り糸を案内するためのラインガイドが設けられている構成であり、また、前記第１長手Ｖ字型部材及び長手平板部材は、断面正三角形の長手三角部材の一部を切削して形成されている構成であり、また、前記第１長手Ｖ字型部材の第１接続面を上向き配設した時の前記第１長手Ｖ字型部材の第１高さと第１横幅と、前記第２長手Ｖ字型部材の第１接続面を上向きに配設した時の前記第２長手Ｖ字型部材の第２高さと第２横幅と、前記長手平板部材を形成する前の断面正三角形をなす長手三角部材の第３高さと第３横幅と、は次の条件（Ｈａ＝Ｈｂ＝ＨｃかつＷａ＝Ｗｂ＝Ｗｃ、又はＨａ＞Ｈｂ＝ＨｃかつＷａ＝Ｗｂ＞Ｗｃ）で形成されている構成である。
【発明の効果】
【００１２】
本発明による多角竿は、以上のように構成されているため、次のような効果を得ることができる。
すなわち、全体形状が長手棒状をなし、その外周形状が断面多角形で形成された竿体からなる多角竿において、断面Ｖ字型をなす長手Ｖ字型部材を少なくとも４個有して少なくとも２個の中空部をなすと共に、前記各長手Ｖ字型部材の一部を重合させて直線状の柱体が形成され、前記柱体の両端には、前記竿体の角部が位置していることにより、竿をこの柱体の長手方向に沿って振ることができ、剛性が十分に得られ、かつ、振り方向に沿って竿がテーパ面となるため、風切り舌がなく、軽快で丈夫な六角竿を得ることができる。
また、前記各長手Ｖ字型部材間には、断面台形をなす長手平板部材が設けられていることにより、簡単に六角柱の竿を得ることができる。
また、前記各長手Ｖ字型部材に形成された一対の接続面の面方向は、互いに同一方向の場合と互いに異なる方向の場合の何れかで構成されていることにより、柱体を容易に得ることができる。
また、前記断面多角形は、断面六角形からなり、断面六角形の各辺が全て等しい場合と、二辺のみが他の辺よりも短い場合とで形成されていることにより、柱体を振り方向に有する正六角形と偏平六角形の竿を容易に得ることができる。
また、前記角部には、釣り糸を案内するためのラインガイドが設けられていることにより、柱体を振り方向に有する六角竿を形成することができる。
また、前記第１長手Ｖ字型部材及び長手平板部材は、断面正三角形の長手三角部材の一部を切削して形成されていることにより、第１長手Ｖ字型部材及び長手平板部材を容易に得ることができる。
また、前記第１長手Ｖ字型部材の第１接続面を上向き配設した時の前記第１長手Ｖ字型部材の第１高さと第１横幅と、前記第２長手Ｖ字型部材の第１接続面を上向きに配設した時の前記第２長手Ｖ字型部材の第２高さと第２横幅と、前記長手平板部材を形成する前の断面正三角形をなす長手三角部材の第３高さと第３横幅と、は次の条件（Ｈａ＝Ｈｂ＝ＨｃかつＷａ＝Ｗｂ＝Ｗｃ、又はＨａ＞Ｈｂ＝ＨｃかつＷａ＝Ｗｂ＞Ｗｃ）で構成されていることにより、振る方向に沿って柱体を有する六角竿を自在に作ることができる。
【図面の簡単な説明】
【００１３】
【図１】本発明による多角竿を示す正面図である。
【図２】図１の他の形態を示す正面図である。
【図３】図１の他の形態を示す正面図である。
【図４】図３の他の形態を示す正面図である。
【図５】図１の要部を示す正面図である。
【図６】図１の要部を示す正面図である。
【図７】図１の要部を示す正面図である。
【図８】本発明による多角竿の斜視図である。
【図９】図８の他の形態を示す斜視図である。
【図１０】図８の他の形態を示す斜視図である。
【図１１】図１０の他の形態を示す斜視図である。
【図１２】本発明における長手三角部材の切出し方法を示す説明図である。
【図１３】図１２の説明図から第１長手Ｖ字型部材を示す説明図である。
【図１４】本発明における突部付き長手三角部材の切出し方法を示す説明図である。
【図１５】図１４の突部付き長手三角部材を切削する状態を示す説明図である。
【図１６】本発明における第２長手Ｖ字型部材を切削する状態を示す説明図である。
【図１７】本発明における長手平板部材を加工する前の母材である長手三角部材を切削する説明図である。
【図１８】図１７の長手三角部材を切削して長手平板部材を形成する状態を示す説明図である。
【図１９】従来の多角竿を示す斜視図である。
【図２０】図１９の他の従来例を示す斜視図である。
【図２１】図２０の他の従来例を示す斜視図である。
【図２２】図２１の他の従来例を示す斜視図である。
【図２３】図２２の他の従来例を示す斜視図である。
【図２４】図２３の他の従来例を示す斜視図である。
【発明を実施するための形態】
【００１４】
本発明は、竿体の各角部間に柱体を設け、この柱体の長手方向に沿って竿体を振ることにより、使い勝手を向上させるようにした多角竿を提供することを目的とする。
【実施例】
【００１５】
以下、図面と共に本発明による多角竿の好適な実施の形態について説明する。
尚、従来例と同一又は同等部分には同一符号を付して説明する。
図１において符号Ａで示されるものは、後述の図１２及び図１３の製法により製作された第１長手Ｖ字型部材であり、この第１長手Ｖ字型部材Ａの両端には図５で示されるように、一対の第１、第２接続面１０，１１が設けられ、この各接続面１０，１１の第１、第２面方向１２，１３は互いに同一方向で形成されている。
【００１６】
前記第１長手Ｖ字型部材Ａには第２長手Ｖ字型部材Ｂが断面形状が台形状をなす長手平板部材Ｃを介して組合せされており、この第２長手Ｖ字型部材Ｂの両端には第１、第２接続面１４，１５が形成されている。
前記第２長手Ｖ字型部材Ｂの各接続面１４，１５の第１、第２面方向１６，１７は互いに異なる方向になるように形成されている。
【００１７】
従って、図１の構成においては、まず、図１の中心線Ｅから右半分の構成において、一対の第１長手Ｖ字型部材Ａの第１、第２接続面１０，１１のうち一方の第１接続面１０は長手平板部材Ｃを介して第２長手Ｖ字型部材Ｂの第２接続面１５に接続され、他方の第２接続面１１は第２長手Ｖ字型部材Ｂの第１接続面１４に接続されている。
また、図１の中心線Ｅから左半分の構成において、第１長手Ｖ字型部材Ａの第１、第２接続面１０，１１のうち、一方の第２接続面１１は長手平板部材Ｃを介して第２長手Ｖ字型部材Ｂの第２接続面１５に接続され、他方の第１接続面１０は第２長手Ｖ字型部材Ｂの第１接続面１４に接続されている。
【００１８】
前記各長手Ｖ字型部材Ａ，Ｂの一部は、多角竿２０を構成する竿体Ｆの左右対称となる中心線Ｅにおいて互いに重合して直線状に接続されることにより、柱体２１が形成され、この柱体２１の両端には、この竿体Ｆの角部２２が位置しており、この竿体Ｆの上部に位置する角部２２には、釣り糸（図示せず）を案内するためのラインガイド２３が設けられている。
尚、前記柱体２１における前記各長手Ｖ字型部材Ａ，Ｂの各接続面１０，１１，１４の面方向は正面から見て直線状に連続して形成されていると共に、柱体２１の両側に台形状をなす一対の第１、第２中空部２４，２５が形成されている。また、この柱体２１の長手方向は竿体Ｆの振り方向Ｘと同一方向に形成されている。
【００１９】
図２の多角竿２０を構成する竿体Ｆの構成は、図１の他の形態を示すもので、図１と異なる部分についてのみ説明し、他の部分の説明は省略する。前記柱体２１における前記各長手Ｖ字型部材Ａ，Ｂの各接続面１０，１１，１４の面方向は、前述の図１の構成のように直線状ではなく、への字型に形成され、前記柱体２１の両端には、一対の第１長手Ｖ字型部材Ａ，Ａ及びＢ，Ｂが位置している。尚、前述の図１及び図２の多角竿２０の構成は正六角形で形成されている。
【００２０】
図３の多角竿２０の構成は、図１の他の形態を示すもので、図１の正六角形ではなく、偏平六角形の形態であり、図１と異なる部分についてのみ説明し、他の部分の説明は省略する。
図３における第１、第２長手Ｖ字型部材Ａ，Ｂ及び長手平板部材Ｃの接続組合わせは、図１と同様であり、各第２長手Ｖ字型部材Ｂ，Ｂの一部の長さが図１の構成よりも短く形成されているため、各接続面１０，１１，１４の面方向は、前述の図１及び図２のように、直線状又はへの字状に連続したものではなく、二段状に分離した状態となる。
【００２１】
すなわち、図３の多角竿２０の形態において、偏平六角形型の六個の各辺Ｃ１〜Ｃ６は、Ｃ１，Ｃ３，Ｃ４，Ｃ６が互いに等しく、Ｃ２とＣ５が他の辺Ｃ１，Ｃ３，Ｃ４，Ｃ６より短く形成されている。
尚、前述の図１及び図２の正六角形の多角竿２０を示す竿体Ｆの場合の各辺Ｃ１〜Ｃ６は同一長さである。
【００２２】
図４の多角竿２０をなす竿体Ｆの構成は、図３の偏平六角形の構成の他の形態で、かつ、図２の正六角形の構成と同様に各長手Ｖ字型部材Ａ，Ｂを配設しており、柱体２１における各接続面１０，１１，１４の構成は前述の図２と同様である。
尚、他の部分は、図２と同様に構成されているため、同一部分には同一符号を付し、その説明は省略する。
【００２３】
前述の図１から図４に開示した本発明による多角竿２０をなす竿体Ｆの各構成における第１長手Ｖ字型部材Ａ、第２長手Ｖ字型部材Ｂ及び長手平板部材Ｃについては、図５から図７で示されるように構成されている。
すなわち、図５の第１長手Ｖ字型部材Ａは、断面Ｖ字型の長手部材よりなり、第１接続面１０を上向きに配設した時の前記第１長手Ｖ字型部材Ａの第１高さＨａと第１横幅Ｗａと、図６の第２長手Ｖ字型部材Ｂの第１接続面１４を上向きに配設した時の第２長手Ｖ字型部材Ｂの第２高さＨｂと第２横幅Ｗｂと、前記長手平板部材Ｃを形成する前の断面正三角形をなす長手三角部材３０の第３高さＨｃと第３横幅Ｗｃと、は、次の条件（Ｈａ＝Ｈｂ＝ＨｃかつＷａ＝Ｗｂ＝Ｗｃ、又は、Ｈａ＞Ｈｂ＝ＨｃかつＷａ＝Ｗｂ＞Ｗｃ）で構成されている。
【００２４】
即ち、図１及び図２の正六角形型の多角竿２０は、前述の条件がＨａ＝Ｈｂ＝ＨｃかつＷａ＝Ｗｂ＝Ｗｃであり、図３及び図４の偏平六角形型の多角竿２０は、前述の条件がＨａ＞Ｈｂ＝ＨｃかつＷａ＝Ｗｂ＞Ｗｃである。
【００２５】
図８は、前述の図１の多角竿２０の斜視状態を示し、図９は、前述の図２の多角竿２０の斜視状態を示している。
図１０は、前述の図３の多角竿２０の斜視状態を示し、図１１は、前述の図４の斜視状態を示している。
【００２６】
図１２及び図１３は、前述の第１長手Ｖ字型部材Ａを切削する場合を示しており、まず、図１２のように、６０℃のアンギュラーカッター３１を２枚重ねた切削刃３２で断面正三角形をなす長手三角部材３０を切出し、この長手三角部材３０をアンギュラーカッター３１で切削することにより、第１長手Ｖ字型部材Ａを製作することができる。
【００２７】
次に、図１４から図１６は、前述の第２長手Ｖ字型部材Ｂを切削する場合を示しており、まず、図１４のように、二枚のアンギュラーカッター３１を重ねると共に、アンギュラーカッター３１の肩の部分を９０度に切り欠いた切欠部３３を有する切削刃３２により、素材（図示せず）を切削することにより、突部３４を有する突部付き長手三角部材３５が得られる。尚、この突部付き長手三角部材３５の底辺３５ａの長さは第１長手Ｖ字型部材Ａの底辺の長さと同一である。
【００２８】
前述の突部付き長手三角部材３５を、図１５で示されるように、平刃３６で突部３４を切削し、その後、図１６で示されるように、突部付き長手三角部材３５を治具３７上でアンギュラーカッター３１で切削することにより、第２長手Ｖ字型部材Ｂを製作することができる。
【００２９】
次に、図１７及び図１８は、断面台形状をなす長手平板部材Ｃを切削する場合を示しており、図１７の切削刃３２によって素材（図示せず）から断面三角形の長手三角部材３０を形成し、この長手三角部材３０を図１８で示す平刃３６によって所定高さまで切削して長手平板部材Ｃが製作できる。
【産業上の利用可能性】
【００３０】
本発明による多角竿は、軽量化と耐久性の両方を有することができ、多方面の竿に適用できるものである。
【符号の説明】
【００３１】
Ａ    第１長手Ｖ字型部材
Ｂ    第２長手Ｖ字型部材
Ｃ    長手平板部材
Ｃ１〜Ｃ６    辺
１０    第１接続面
１１    第２接続面
１２    第１面方向
１３    第２面方向
１４    第１接続面
１５    第２接続面
１６    第１面方向
１７    第２面方向
Ｈａ    第１高さ
Ｗａ    第１横幅
Ｈｂ    第２高さ
Ｗｂ    第２横幅
Ｈｃ    第３高さ
Ｗｃ    第３横幅
２０    多角竿
２１    柱体
２２    角部
２３    ラインガイド
２４    第１中空部
２５    第２中空部
３０    長手三角部材
３１    アンギュラーカッター
３２    切削刃
３３    切欠部
３４    突部
３５    突部付き長手三角部材
３５ａ    底辺
３６    平刃
Ｅ    中心線
Ｆ    竿体
Ｘ    竿の振り方向
【図１】
2012187017.tif 000003
【図２】
2012187017.tif 000004
【図３】
2012187017.tif 000005
【図４】
2012187017.tif 000006
【図５】
2012187017.tif 000007
【図６】
2012187017.tif 000008
【図７】
2012187017.tif 000009
【図８】
2012187017.tif 000010
【図９】
2012187017.tif 000011
【図１０】
2012187017.tif 000012
【図１１】
2012187017.tif 000013
【図１２】
2012187017.tif 000014
【図１３】
2012187017.tif 000015
【図１４】
2012187017.tif 000016
【図１５】
2012187017.tif 000017
【図１６】
2012187017.tif 000018
【図１７】
2012187017.tif 000019
【図１８】
2012187017.tif 000020
【図１９】
2012187017.tif 000021
【図２０】
2012187017.tif 000022
【図２１】
2012187017.tif 000023
【図２２】
2012187017.tif 000024
【図２３】
2012187017.tif 000025
【図２４】
2012187017.tif 000026